(57)【要約】【課題】操作レバーを揺動可能に支持する部材をより少なくすることで効率的な組み立てが実現できる、新たなトリガー式液体噴出器を提供する。【解決手段】本発明のトリガー式液体噴出器１において、操作レバー６は、本体部３に揺動可能に支持される枢支軸６ｃをそれぞれの外面、又は内面に設けた一対の側壁６ｂを有し、本体部３は、内部通路Ｔａを通してノズル５に内容液を送給する横筒３０ｅと、隙間ｓをあけて横筒３０ｅを間に挟むサイド壁３０ｉと、横筒３０ｅ又はサイド壁３０ｉの何れか一方に設けられ対をなす枢支軸６ｃと連係する上方開放の溝部３０ｊとを有し、サイド壁３０ｉは、隙間ｓに対する枢支軸６ｃ及び側壁６ｂの下方からの挿入を許容するよう横筒３０ｅから離れる向きに弾性変形可能であることを特徴とする。【選択図】図１
2015062886.tif 000002
【特許請求の範囲】
【請求項１】
本体部に枢支軸を介して揺動可能に取り付けられる操作レバーを有し、該操作レバーの牽曳を繰り返して該本体部に設けたポンプを駆動させ容器内の内容液を吸引、加圧、圧送して該本体部の前方に取り付けたノズルから噴出させるトリガー式液体噴出器であって、
前記操作レバーは、前記枢支軸をそれぞれの外面、又は内面に設けた一対の側壁を有し、
前記本体部は、内部通路を通して前記ノズルに内容液を送給する横筒と、隙間をあけて該横筒を間に挟むサイド壁と、該横筒又はサイド壁の何れか一方に設けられ対をなす前記枢支軸と連係する上方開放の溝部とを有し、
該サイド壁は、該隙間に対する該枢支軸及び側壁の下方からの挿入を許容するよう該横筒から離れる向きに弾性変形可能であるトリガー式液体噴出器。
【請求項２】
前記本体部は、対をなす前記サイド壁の相互間をつなぐ補強リブを有する請求項１に記載のトリガー式液体噴出器。
【請求項３】
前記サイド壁は、前記溝部を有するとともに、該溝部を含む支持部分での厚みに対して該支持部分の両側を挟む連結部分での厚みが薄いものである請求項１に記載のトリガー式液体噴出器。
【発明の詳細な説明】
【技術分野】
【０００１】
本発明は、トリガー式液体噴出器に関するものであり、特に、噴出器のポンプを駆動させるための操作レバー、及びこの操作レバーを揺動可能に支持する本体部に関する。
【背景技術】
【０００２】
黴取り剤や洗剤、衣料用糊剤、住居用ワックス、整髪剤、芳香剤、忌避剤、農薬、薬品等の内容液を入れた容器においては、容器の口部に装着され、操作レバーを牽曳することによって本体部に設けたポンプを駆動して容器内の液体を直線状、霧状あるいは泡状にして噴射させるトリガー式液体噴出器が多用されており（例えば特許文献１参照）、これにより内容液の効率的な供給を可能にしている。
【先行技術文献】
【特許文献】
【０００３】
【特許文献１】特開平１１−２９０７３１号公報
【発明の概要】
【発明が解決しようとする課題】
【０００４】
かかる噴出器において操作レバー（特許文献１ではトリガー）は、同文献の図２、図３に示されているように、復帰バネ６に設けたＣ字状の軸受３４に対し、トリガー６の二又状両上端部３５に設けた片持軸３６を連係させ、また、筒先部材１１の後端部（ノズル２を取り付ける側とは逆側の端部）を上述の上端部３５の間に挿入するとともに、噴出器本体１の側部に設けたリブが、Ｃ字状となる軸受３４の開放部分に合わさることで片持軸３６を軸受３４に保持している。すなわち、トリガー６は３つの部材（復帰バネ６、筒先部材１１、及び噴出器本体１）によって保持されるものであるため、少ない部材で保持することで効率よく組み立てることができる工夫が望まれていた。
【０００５】
本発明は、このような問題点を解決することを課題とするものであり、その目的は、操作レバーをより少ない部材で揺動可能に支持できるようにすることで効率的な組み立てが実現できる、新たなトリガー式液体噴出器を提案するところにある。
【課題を解決するための手段】
【０００６】
本発明は、本体部に枢支軸を介して揺動可能に取り付けられる操作レバーを有し、該操作レバーの牽曳を繰り返して該本体部に設けたポンプを駆動させ容器内の内容液を吸引、加圧、圧送して該本体部の前方に取り付けたノズルから噴出させるトリガー式液体噴出器であって、
前記操作レバーは、前記枢支軸をそれぞれの外面、又は内面に設けた一対の側壁を有し、
前記本体部は、内部通路を通して前記ノズルに内容液を送給する横筒と、隙間をあけて該横筒を間に挟むサイド壁と、該横筒又はサイド壁の何れか一方に設けられ対をなす前記枢支軸と連係する上方開放の溝部とを有し、
該サイド壁は、該隙間に対する該枢支軸及び側壁の下方からの挿入を許容するよう該横筒から離れる向きに弾性変形可能であるトリガー式液体噴出器である。
【０００７】
前記本体部は、対をなす前記サイド壁の相互間をつなぐ補強リブを有することが好ましい。
【０００８】
前記サイド壁は、前記溝部を有するとともに、該溝部を含む支持部分での厚みに対して該支持部分の両側を挟む連結部分での厚みが薄いことが好ましい。
【発明の効果】
【０００９】
操作レバーは、枢支軸をそれぞれの外面、又は内面に設けた一対の側壁を有するものとし、ノズルに内容液を送給する横筒を有する本体部には、隙間をあけてこの横筒を間に挟むサイド壁と、横筒又はサイド壁の何れか一方に設けられ対をなす枢支軸と連係する上方開放の溝部とを設け、上記隙間に対する枢支軸及び側壁の下方からの挿入を許容するよう、サイド壁を横筒から離れる向きに弾性変形可能としたことで、操作レバーを本体部のみで揺動可能に支持することができる。これにより、取り付けに要する部材数が減って効率的に組み立てを行うことができる。
【００１０】
本体部に、サイド壁の相互間をつなぐ補強リブを設ける場合は、必要な強度は補強リブで確保しつつサイド壁の厚みを薄くすることができるので、弾性変形しやすくなることで操作レバーの組み立てをより簡単にすることができるとともに、樹脂量の削減を図ることができる。また、サイド壁に溝部を設けるとともに、この溝部を含む支持部分での厚みに対して支持部分の両側を挟む連結部分での厚みが薄くなるようにする場合は、操作レバーの枢支軸に連係する支持部分の剛性は維持しつつ、連結部分での厚みが薄くなる分、樹脂量を更に削減することができる。
【図面の簡単な説明】
【００１１】
【図１】本発明に従うトリガー式液体噴出器の第一実施形態を示す、側面視での断面図である。
【図２】図１に示す本体部（ボディ）の側面図である。
【図３】（ａ）は図２に示す本体部（ボディ）の平面図であり、（ｂ）は（ａ）に示すＡ−Ａに沿う断面図である。
【図４】図１に示す操作レバーに関し、（ａ）は正面図であり、（ｂ）は側面図であり、（ｃ）は平面図である。
【図５】操作レバーの本体部への取り付けを説明する、（ａ）は側面図であり、（ｂ）は平面図であり、（ｃ）は（ａ）に示すＢ−Ｂに沿う断面図である。
【図６】図５の状態から操作レバーを本体部に押し込んだ状態を示す平面図である。
【図７】操作レバーの本体部への取り付けが完了した状態を示す、（ａ）は側面図であり、（ｂ）は平面図であり、（ｃ）は（ａ）に示すＣ−Ｃに沿う断面図である。
【図８】本発明に従うトリガー式液体噴出器の第二実施形態を示す、本体部（ボディ）の側面図である。
【図９】（ａ）は図８に示す本体部（ボディ）の平面図であり、（ｂ）は（ａ）に示すＤ−Ｄに沿う断面図であり、（ｃ）は矢印Ｅに沿う矢視図である。
【図１０】図８及び図９に示す本体部（ボディ）に取り付けられる操作レバーに関し、（ａ）は正面図であり、（ｂ）は側面図であり、（ｃ）は平面図である。
【図１１】図８及び図９に示す本体部（ボディ）に対し、図１０に示す操作レバーを押し込んだ状態を示す平面図である。
【図１２】図８及び図９に示す本体部（ボディ）に対し、図１０に示す操作レバーの取り付けが完了した状態を示す、（ａ）は側面図であり、（ｂ）は平面図であり、（ｃ）は（ａ）に示すＦ−Ｆに沿う断面図である。
【図１３】本発明に従うトリガー式液体噴出器の第三実施形態を示す、側面視での断面図である。
【図１４】図１３に示す本体部（ボディ）に関し、（ａ）は平面図であり、（ｂ）は側面図である。
【図１５】図１３に示す操作レバーに関し、（ａ）は正面図であり、（ｂ）は側面図であり、（ｃ）は平面図である。
【図１６】図１３に示すトリガー式液体噴出器において、操作レバーを引き切った状態から更に操作レバーに力が加わった状態を説明する図である。
【図１７】図１６の平面図である（説明に必要な部分のみを示す）。
【発明を実施するための形態】
【００１２】
以下、図面を参照して、本発明をより具体的に説明する。なお、本願明細書、特許請求の範囲、要約書、及び図面では、後述するカバーの頂壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方とする。
【００１３】
図１における符号１は、トリガー式液体噴出器の第一実施形態を示す。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプを備える本体部３と、本体部３に連結するとともに容器Ｃの底部に向けて延び、ポンプの駆動にて容器Ｃ内の内容液を吸い上げるパイプ４と、本体部３の前方に設けられ、内容液を外界に向けて噴出させるノズル５と、本体部３に揺動可能に保持され、牽曳を繰り返すことでポンプを駆動させる操作レバー６と、牽曳された操作レバー６に復元力を付与するバネ部材７と、本体部３の上方及び側方を覆うカバー８とを備えている。
【００１４】
装着キャップ２は、円筒状となる側壁２ａの内面に、容器Ｃの口部に設けたねじ部に適合するねじ部２ｂを有している。また、側壁２ａの上方には、中央部に上部開口２ｃを有する天壁２ｄが設けられていて、天壁２ｄにおける上部開口２ｃの縁部には、径方向内側に向かって下向きに傾斜する天壁テーパ部２ｅが設けられている。
【００１５】
本実施形態において本体部３は、複数の部材から構成されていて、装着キャップ２は、その一つをなすボディ３０に取り付けられる。ボディ３０の下方には、上部開口２ｃに挿通される円筒状の連結筒部３０ａが設けられていて、連結筒部３０ａの外周面には、径方向外側に延在するフランジ３０ｂが設けられている。また、フランジ３０ｂの外縁部上面には、径方向外側に向かって下向きに傾斜するフランジテーパ部３０ｃが設けられている。また連結筒部３０ａの上方には、連結筒部３０ａに対して後方に偏心するとともに連結筒部３０ａよりも小径となる縦筒３０ｄが設けられていて、縦筒３０ｄの上方には、前方に向けて延在するとともにその内側に内部通路Ｔａを有する横筒３０ｅが設けられている。ここで縦筒３０ｄの内部と横筒３０ｅの内部通路Ｔａとは、穴Ｈａを介してつながっている。また横筒３０ｅの前方側には、上方及び側方に延在する板状壁３０ｆが設けられ、板状壁３０ｆには、前方に向けて突出する円柱部３０ｇ、及び円柱部３０ｇの径方向外側に位置する円筒部３０ｈが設けられている。
【００１６】
また、図２及び図３（ａ）、（ｂ）に示すように、横筒３０ｅの両側方には、隙間ｓをあけて横筒３０ｅを間に挟む一対のサイド壁３０ｉが設けられている。また、サイド壁３０ｉには、側面視にてＵ字状をなす上方開放の溝部３０ｊが設けられていて、図３（ａ）に示すようにサイド壁３０ｉは、溝部３０ｊを含む支持部分３０ｋでの厚みｔ１に対し、支持部分３０ｋの両側を挟む連結部分３０ｍの厚みｔ２が薄くなっている。連結部分３０ｍには、対をなすサイド壁３０ｉの相互間をつなぐ補強リブ３０ｎが設けられている（本実施形態では、支持部分３０ｋを間に挟んで総計２つ設けられている）。また、対をなす溝部３０ｊの間には、横筒３０ｅと同幅（側方長さが等しい）となるリブ３０ｐが設けられ、リブ３０ｐの後方には、横筒３０ｅよりも幅（側方長さ）が大きいガイドリブ３０ｑが設けられている。
【００１７】
そして、図１に示すように、横筒３０ｅの下方には、縦筒３０ｄから前方に向けて突出する円筒状の嵌合壁３０ｒが設けられていて、嵌合壁３０ｒの径方向内側には、円筒状をなすとともに縦筒３０ｄからの突出量が嵌合壁３０ｒよりも少なくなるように形成され、またその先端部が後述する吸い上げ弁体と当接する吸い上げ弁座３０ｓが設けられている。また、嵌合壁３０ｒと吸い上げ弁座３０ｓとの相互間には、縦筒３０ｄを貫く穴Ｈｂが設けられ、吸い上げ弁座３０ｓの内側には、縦筒３０ｄを貫く穴Ｈｃが設けられている。更に、嵌合壁３０ｒには、その内外を連通させる穴Ｈｄが設けられている。
【００１８】
また、縦筒３０ｄ内には、円筒状のインテイク３１が設けられている。インテイク３１の下方には、径方向外側に延在するフランジ３１ａが設けられていて、フランジ３１ａには、嵌合壁３０ｒに設けた穴Ｈｄに連通する穴Ｈｅが設けられている。また、インテイク３１の下端には、前述のパイプ４が嵌合保持されている。更にインテイク３１の内側には、上方内部通路Ｔｂ及び下方内部通路Ｔｃを区画形成する隔壁３１ｂが設けられている。そして隔壁３１ｂの下方には、穴Ｈｃに連通する穴Ｈｆが設けられ、隔壁３１ｂの上方には、穴Ｈｂに連通する穴Ｈｇが設けられている。更にインテイク３１の上方には、段状に形成されて後述する吐出弁体と当接する吐出弁座３１ｃが設けられ、更に吐出弁座３１ｃの上方には、穴Ｈａに連通する穴Ｈｈが設けられている。
【００１９】
そして、インテイク３１の上方には、吐出弁３２が設けられている。吐出弁３２は、吐出弁座３１ｃに着座する平板状の吐出弁体３２ａと、側面視にて環状をなし、吐出弁体３２ａに対して常時下方へ向かう付勢力を作用させる弾性部３２ｂを備えている。
【００２０】
また、嵌合壁３０ｒの内側には、シリンダー部材３３が設けられている。シリンダー部材３３は、嵌合壁３０ｒに嵌合保持される円筒状のシリンダー筒３３ａと、シリンダー筒３３ａの径方向内側に設けられる円筒状の区画筒３３ｂとを同心二重配置で設けたものであり、シリンダー筒３３ａと区画筒３３ｂとの後方側は、奥壁３３ｃでつながっている。奥壁３３ｃには、縦筒３０ｄに設けた穴Ｈｂに入り込むとともにインテイク３１の穴Ｈｇに連通する穴Ｈｉが設けられている。そして区画筒３３ｂの内側には、半球状をなすとともに吸い上げ弁座３０ｓに着座する吸い上げ弁体３３ｄと、螺旋状に延在して区画筒３３ｂと吸い上げ弁体３３ｄとを相互に連結し且つ吸い上げ弁体３３ｄに対して常時後方へ向かう付勢力を作用する弾性部３３ｅとが設けられていて、吸い上げ弁体３３ｄ及び弾性部３３ｅによって吸い上げ弁を構成している。更に、シリンダー筒３３ａには、シリンダー筒３３ａの内外を連通させるとともに、嵌合壁３０ｒとシリンダー筒３３ａとの間に形成される隙間を介して嵌合壁３０ｒの穴Ｈｄに連通する外気導入口Ｈｊが設けられている。
【００２１】
シリンダー部材３３の内側には、ピストン３４が設けられている。ピストン３４は、シリンダー筒３３ａの内周面に摺動可能に当接する環状の摺動部３４ａを有していて、摺動部３４ａには、前方に向けて延在するとともに前方側の端部を閉塞した周壁部３４ｂが設けられている。また、周壁部３４ｂの前方側端部には、前述の操作レバー６に係合する係合凹部３４ｃが設けられている。なお、摺動部３４ａは、操作レバー６が牽曳されていない状態において、シリンダー部材３３の外気導入口Ｈｊを塞ぐ位置に設けられている。
【００２２】
このように本実施形態では、ボディ３０、インテイク３１、吐出弁３２、シリンダー部材３３、ピストン３４によって、ポンプ機能を有する本体部３を構成している。
【００２３】
ノズル５は、ボディ３０に設けた円柱部３０ｇの前方側に配される縦壁５ａを有していて、縦壁５ａには、円柱部３０ｇを取り囲んで後方へ向けて延在する内側筒状壁５ｂと、内側筒状壁５ｂの径方向外側にて円筒部３０ｈの内周面に当接する外側筒状壁５ｃが設けられている。これによりノズル５は、円柱部３０ｇを中心に回動可能に保持される。なお、ノズル５はボディ３０に対して抜け止め保持（例えば板状壁３０ｆに爪部を設け、これに係合する爪部をノズル５に設ける）されている。ここで、内側筒状壁５ｂの内側には、縦壁５ａを貫く貫通穴５ｄが設けられていて、円柱部３０ｇの外周面と内側筒状壁５ｂの内周面には、それぞれ前後方向に延在する溝が設けられている。これにより、ノズル５を回転させて相互の溝が合わさることで、横筒３０ｅの内部通路Ｔａと貫通穴５ｄとが連通して内容液の噴出が可能となる一方、これらの溝がずれている時は、横筒３０ｅの内部通路Ｔａと貫通穴５ｄとは非連通となって、内容液の噴出を阻止することができる。また、外側筒状壁５ｃの径方向外側には、横断面形状が矩形状となる外壁５ｅが設けられていて、更に外壁５ｅの前方側には、ヒンジ５ｆを介して一体に連結するとともに、内容液を外界に向けて噴出させる噴出口５ｇを形成した衝突壁５ｈが設けられている。なお、内容液を噴出させる際には、衝突壁５ｈはヒンジ５ｆにて折り曲げられて（折曲げられた衝突壁５ｈは外壁５ｅに係合保持される）、噴出口５ｇが貫通穴５ｄの前方に位置するようにしている。
【００２４】
操作レバー６は、前壁６ａ及び前壁６ａの両側方に設けられる一対の側壁６ｂを有している。図４（ａ）〜（ｃ）に示すように、本実施形態で前壁６ａは、上部に対して下部が幅広になっていて、側壁６ｂは上部側壁６ｂ１と下部側壁６ｂ２とで構成されている。また、それぞれの側壁６ｂの上方（上部側壁６ｂ１の上方）には、ボディ３０の溝部３０ｊに揺動可能に連係する円柱状の枢支軸６ｃが設けられている。本実施形態では、枢支軸６ｃの上部に、上方に向かって上部側壁６ｂ１に近づく向きに傾く傾斜部６ｄを設けている。また、操作レバー６の中間部には、前壁６ａを貫通するとともにピストン３４との干渉を避ける逃がし穴６ｅが設けられていて、逃がし穴６ｅの内面には、係合凹部３４ｃに連係する円柱状の凸部６ｆが設けられている。また、前壁６ａの裏面（後方の面）において、上部側壁６ｂ１と下部側壁６ｂ２との間には、バネ部材７を受け入れる隙間６ｇが設けられていて、隙間６ｇの下方には、前壁６ａから後方に向けて延び、下部側壁６ｂ２よりも高さが低くなるリブ６ｇ１が設けられている。
【００２５】
バネ部材７は、図１に示すように操作レバー６の後方において、ボディ３０の横筒３０ｅと嵌合壁３０ｒとの間で保持され、前方へ向けて伸延しつつ湾曲しながら下方に向けて延在する形態をなすものであり、その下方側の端部を操作レバー６の隙間６ｇに入り込ませるとともにリブ６ｇ１に当接させて操作レバー６に対して常時前方へ向かう付勢力を付与している。
【００２６】
カバー８は、上方に設けられた頂壁８ａ、及び頂壁８ａの側方から下方に向けて延在する一対の側壁８ｂを備えている。また、詳細な説明は省略するが、ボディ３０に対して後方から前方に向けてスライドさせることで取り付けできるように構成されている。
【００２７】
上記のような構成となるトリガー式液体噴出器１によれば、操作レバー６の牽曳によってピストン３４が後方に押し込まれることで、シリンダー部材３３内の内容液は、穴Ｈｉ及び穴Ｈｇを通ってインテイク３１の上方内部通路Ｔｂ内に圧入され、吐出弁体３２ａを押し上げて穴Ｈｈ、穴Ｈａ、及び横筒３０ｅの内部通路Ｔａを通り、貫通穴５ｄを介して噴出口５ｇから噴出される。
【００２８】
次いで操作レバー６の牽曳を停止し、バネ部材７の付勢力で操作レバー６が元の位置に戻ることでピストン３４も前方に移動し、シリンダー部材３３内が負圧化される。これによって容器Ｃ内の内容液が、パイプ４を介してインテイク３１の下方内部通路Ｔｃ内に導入され、穴Ｈｆ及び穴Ｈｃを通り、吸い上げ弁座３０ｓから離反した吸い上げ弁体３３ｄ及び螺旋状となる弾性部３３ｅ間の隙間を介してシリンダー部材３３内に導入される。なお、ピストン３４が元の位置に戻るまでは、シリンダー部材３３に設けられた外気導入口Ｈｊが開口しているので、外気を、外気導入口Ｈｊ、嵌合壁３０ｒとシリンダー筒３３ａとの間に形成される隙間、嵌合壁３０ｒの穴Ｈｄ、及びインテイク３１の穴Ｈｅを介して容器Ｃ内に取り込むことができる。このため、噴出に従って容器Ｃ内の内容液が減少しても、外気が容器Ｃ内に取り込まれるので、負圧によって容器Ｃが変形することはない。
【００２９】
次に図５〜図７を参照しつつ、操作レバー６のボディ３０への取り付け方について説明する。なお、図５〜図７では説明上、単体のボディ３０に対して操作レバー６を取り付ける例を示しているが、実際は、ボディ３０にシリンダー部材３３、ピストン３４、及びバネ部材７を組み込んだ状態で操作レバー６の取り付けを行う。また、ボディ３０には、操作レバー６を取り付ける際に邪魔にならない、他の部材を組み付けておいても構わない。
【００３０】
操作レバー６をボディ３０へ取り付けるにあたっては、図５に示すようにボディ３０における横筒３０ｅとサイド壁３０ｉとの隙間ｓに対し、操作レバー６の上部側壁６ｂ１を下方から挿入する。ここで、サイド壁３０ｉの連結部分３０ｍは、支持部分３０ｋよりも薄肉であるので、図６に示すように支持部分３０ｋの前方及び後方において屈曲するように弾性変形させることで、支持部分３０ｋを横筒３０ｅから離れる向きへ変位させることができる。なお、対をなすサイド壁３０ｉの連結部分３０ｍ同士は補強リブ３０ｎでつながっているので、過剰に弾性変形することがなく、破損等を有効に防止することができる。また、本実施形態では、図５（ｃ）に示すように上部側壁６ｂ１の枢支軸６ｃに傾斜部６ｄを設けているので、操作レバー６を下方から押し込むだけで、上記の弾性変形を誘起することができる。そして、操作レバー６を上方に移動させることで、図７に示すように、枢支軸６ｃを溝部３０ｊに嵌め込むことができる。本実施形態では、図７（ａ）、（ｂ）に示すようにガイドリブ３０ｑを設けていて、操作レバー６をガイドリブ３０ｑに沿わせるようにして移動させることで操作レバー６の前後方向位置を規制することができるので、枢支軸６ｃの溝部３０ｊへの嵌め込みがより行いやすくなる。また、操作レバー６の取り付け後は、ボディ３０に設けたリブ３０ｐによって、上部側壁６ｂ１の側方内側への倒れ込みが抑制されるので、溝部３０ｊに嵌まり込んだ枢支軸６ｃの抜け出しを防止することができる。また本実施形態では、補強リブ３０ｎを、支持部分３０ｋを間に挟んで２つ設けているので、支持部分３０ｋを設けた部位におけるサイド壁３０ｉの弾性変形量が抑制され、枢支軸６ｃの溝部３０ｊからの外れを防止することができる。
【００３１】
図８〜図１２は、本発明に従うトリガー式液体噴出器の第二実施形態を示す図である。なお、以下の説明において、第一実施形態と同一の機能を有する部位には、同一の符号、又は名称を付して説明を省略する。
【００３２】
図８、９に示すように第二実施形態のボディ３０は概略、サイド壁３０ｉに設けた溝部３０ｊを横筒３０ｅに設け、サイド壁３０ｉの厚みを前後方向に一定とし、リブ３０ｐ及びガイドリブ３０ｑを省略した点が、前述の第一実施形態と相違する。
【００３３】
また、図１０に示す第二実施形態の操作レバー６は概略、上部側壁６ｂ１の外面に設けた枢支軸６ｃを、その内面に設けた点が、前述の第一実施形態と相違する。
【００３４】
第二実施形態においても、図１１に示すようにボディ３０における横筒３０ｅとサイド壁３０ｉとの隙間ｓに対し、操作レバー６の上部側壁６ｂ１を下方から挿入する。そして、サイド壁３０ｉを横筒３０ｅから離れる向きに弾性変形させるとともに、一対の上部側壁６ｂ１も幅を広げるように弾性変形させて、図１２に示すように、枢支軸６ｃを溝部３０ｊに嵌め込むことができる。また補強リブ３０ｎは、溝部３０ｊを間に挟んで２つ設けられているので、溝部３０ｊに対向する部位におけるサイド壁３０ｉの弾性変形量が抑制されて、枢支軸６ｃの溝部３０ｊからの外れが防止できる。
【００３５】
図１３〜図１８は、本発明に従うトリガー式液体噴出器の第三実施形態を示す図である。図１３に示すように本実施形態のトリガー式液体噴出器１Ａは、容器Ｃの口部に取り付けられる装着キャップ２Ａと、容器Ｃ内の内容液を吸引、加圧、圧送するポンプを備える本体部３Ａと、容器Ｃ内の内容液を吸い上げるパイプ４Ａと、内容液を外界に向けて噴出させるノズル５Ａと、本体部３Ａに揺動可能に保持され、牽曳を繰り返すことでポンプを駆動させる操作レバー６Ａと、牽曳された操作レバー６Ａに復元力を付与するバネ部材７と、本体部３Ａの上方及び側方を覆うカバー８Ａとを備えるものである。
【００３６】
本体部３Ａは、ボディ３０Ａ、インテイク３１Ａ、吸い上げ弁３５Ａ（本実施形態では球状）、吐出弁３２Ａ、シリンダー部材３３Ａ、ピストン３４Ａ、及び正倒立両用機構Ｘによって構成されている。また、正倒立両用機構Ｘは、パイプ取り付け部材３６Ａ、弁体保持部材３７Ａ、連結筒部材３８Ａ、球状弁３９Ａによって構成されている。なお、内容液を吸引、加圧、圧送する仕組みは、上述した第一実施形態と同様であるので説明を省略する。また、正倒立両用機構Ｘは、容器Ｃを正立姿勢にした場合には、球状弁３９Ａが弁体保持部材３７Ａに着座して穴Ｈｋを閉鎖する一方、容器Ｃを倒立姿勢にした場合には、球状弁３９Ａが連結筒部材３８Ａに向けて移動し、容器Ｃ内の内容液を、穴Ｈｍ、穴Ｈｋ、穴Ｈｎを通してインテイク３１Ａ内へ送給できるようにしている。
【００３７】
図１４（ａ）、（ｂ）に示すように、第三実施形態のボディ３０Ａは概略、第一実施形態のボディ３０に対して、サイド壁３０ｉに設けた溝部３０ｊを横筒３０ｅに設け、サイド壁３０ｉの厚みを前後方向に一定とし、リブ３０ｐ及びガイドリブ３０ｑを省略し、溝部３０ｊの後方（溝部３０ｊを形成する壁部３０ｔの後端縁）において横筒３０ｅとサイド壁３０ｉとを連結する補強リブ３０ｕを設けた点が相違する。
【００３８】
また、図１５（ａ）〜（ｃ）に示すように、第三実施形態の操作レバー６Ａは概略、第一実施形態の操作レバー６に対して、上部側壁６ｂ１の外面に設けた枢支軸６ｃを、その内面に設けた点が相違する。
【００３９】
操作レバー６Ａをボディ３０Ａに取り付けるにあたっては、上述した第二実施形態と同様に、図１５に示す上部側壁６ｂ１を、図１４に示す隙間ｓに対して下方から挿入し、サイド壁３０ｉを横筒３０ｅから離れる向きに弾性変形させるとともに、一対の上部側壁６ｂ１も幅を広げるように弾性変形させることで、枢支軸６ｃを溝部３０ｊに嵌め込むことができる。なお、補強リブ３０ｕを、溝部３０ｊから後方にずれた位置に設けることで、サイド壁３０ｉの弾性変形は、枢支軸６ｃを溝部３０ｊに嵌め込む際に必要な分だけに抑えられている。
【００４０】
ここで、図１６に示すように操作レバー６Ａを引き切った状態から更に操作レバー６Ａに力が加わると、ピストン３４Ａとの連結部である凸部６ｆが支点となって、操作レバー６Ａの枢支軸６ｃには前方へ向かう力が加わる。このため、図１７に示すように上部側壁６ｂ１は外側に広がって、枢支軸６ｃが溝部３０ｊから外れてしまうおそれがあるものの、本実施形態では、溝部３０ｊを間に挟む２つの補強リブ３０ｎに加え、更に補強リブ３０ｕを設けて横筒３０ｅとサイド壁３０ｉとを連結し、サイド壁３０ｉの不必要な弾性変形を阻止しているので、枢支軸６ｃの外れがより確実に防止できる。
【００４１】
なお、本発明に従うトリガー式液体噴出器の内部構造は、上述した実施形態のものに限られず、通常使用される他の構造を用いることができる。
【産業上の利用可能性】
【００４２】
本発明によれば、操作レバーを揺動可能に支持する部材が本体部（ボディ）だけで済むので、より簡単に組み立てることができる新規のトリガー式液体噴出器を提供することができる。
【符号の説明】
【００４３】
１、１Ａ  トリガー式液体噴出器
２、２Ａ  装着キャップ
２ａ  側壁
２ｂ  ねじ部
２ｃ  上部開口
２ｄ  天壁
２ｅ  天壁テーパ部
３、３Ａ  本体部
４、４Ａ  パイプ
５、５Ａ  ノズル
５ａ  縦壁
５ｂ  内側筒状壁
５ｃ  外側筒状壁
５ｄ  貫通穴
５ｅ  外壁
５ｆ  ヒンジ
５ｇ  噴出口
５ｈ  衝突壁
６、６Ａ  操作レバー
６ａ  前壁
６ｂ  側壁
６ｂ１  上部側壁
６ｂ２  下部側壁
６ｃ  枢支軸
６ｄ  傾斜部
６ｅ  逃がし穴
６ｆ  凸部
６ｇ  隙間
６ｇ１  リブ
７、７Ａ  バネ部材
８、８Ａ  カバー
８ａ  頂壁
８ｂ  側壁
３０、３０Ａ  ボディ
３０ａ  連結筒部
３０ｂ  フランジ
３０ｃ  フランジテーパ部
３０ｄ  縦筒
３０ｅ  横筒
３０ｆ  板状壁
３０ｇ  円柱部
３０ｈ  円筒部
３０ｉ  サイド壁
３０ｊ  溝部
３０ｋ  支持部分
３０ｍ  連結部分
３０ｎ  補強リブ
３０ｐ  リブ
３０ｑ  ガイドリブ
３０ｒ  嵌合壁
３０ｓ  吸い上げ弁座
３０ｔ  壁部
３０ｕ  補強リブ
３１、３１Ａ  インテイク
３１ａ  フランジ
３１ｂ  隔壁
３１ｃ  吐出弁座
３２、３２Ａ  吐出弁
３２ａ  吐出弁体
３２ｂ  弾性部
３３、３３Ａ  シリンダー部材
３３ａ  シリンダー筒
３３ｂ  区画筒
３３ｃ  奥壁
３３ｄ  吸い上げ弁体
３３ｅ  弾性部
３４、３４Ａ  ピストン
３４ａ  摺動部
３４ｂ  周壁部
３４ｃ  係合凹部
３５Ａ  吸い上げ弁
３６Ａ  パイプ取り付け部材
３７Ａ  弁体保持部材
３８Ａ  連結筒部材
３９Ａ  球状弁
Ｃ  容器
Ｈａ〜Ｈｉ  穴
Ｈｊ  外気導入口
Ｈｋ、Ｈｍ、Ｈｎ  穴
Ｔａ  内部通路
Ｔｂ  上方内部通路
Ｔｃ  下方内部通路
ｓ  隙間
Ｘ  正倒立両用機構
【図１】
2015062886.tif 000003
【図２】
2015062886.tif 000004
【図３】
2015062886.tif 000005
【図４】
2015062886.tif 000006
【図５】
2015062886.tif 000007
【図６】
2015062886.tif 000008
【図７】
2015062886.tif 000009
【図８】
2015062886.tif 000010
【図９】
2015062886.tif 000011
【図１０】
2015062886.tif 000012
【図１１】
2015062886.tif 000013
【図１２】
2015062886.tif 000014
【図１３】
2015062886.tif 000015
【図１４】
2015062886.tif 000016
【図１５】
2015062886.tif 000017
【図１６】
2015062886.tif 000018
【図１７】
2015062886.tif 000019